(57)【要約】【課題】バッグ本体を折畳んだ状態を簡便な方法で維持することができて、携帯に便利なバッグを提供する。【解決手段】折畳状態としたバッグ本体を拘束可能なベルトをバッグ本体に一体に具える。また、バッグ本体には、その開口部を閉じるための留め具を取付け、ベルトには、折畳まれた上記バッグ本体を拘束した状態で、上記バッグ本体に取付けた留め具に対し係合しうる留め具を取付ける。また、バッグ本体にポケットを設け、ベルトはそのポケットの開口部を跨ぐ状態に取り付け、ベルトに取付けた留め具が係合しうる留め具をポケットの表面に取付ける。【選択図】        図１
2004216027.tif 000002
【特許請求の範囲】
【請求項１】
折畳み可能なバッグ本体と、そのバッグ本体に取付けられ、折畳まれた上記バッグ本体を拘束可能なベルトとが具えられたことを特徴とするバッグ。
【請求項２】
上記バッグ本体に、その開口部を閉じるための留め具が取付けられ、上記ベルトには、折畳まれた上記バッグ本体を拘束した状態で、上記バッグ本体に取付けられた上記留め具に係合しうる留め具が取付けられていることを特徴とする請求項１記載のバッグ。
【請求項３】
上記バッグ本体にポケットが設けられ、上記ベルトはそのポケットの開口部を跨ぐ状態に取り付けられ、上記ベルトに取付けられた留め具が係合しうる留め具が上記ポケットの表面に取付けられたことを特徴とする請求項２記載のバッグ。
【請求項４】
上記ポケットは携帯電話を収容可能なサイズに形成されことを特徴とする請求項３記載のバッグ。
【請求項５】
上記ベルトは上記ポケットに収容された携帯電話の環状のストラップに挿通可能な幅に形成されたことを特徴とする請求項４記載のバッグ。
【発明の詳細な説明】
【０００１】
【発明の属する技術分野】
本考案はバッグに関する。
【０００２】
【従来の技術】
従来、携帯の利便性を得るために、不使用時にコンパクトに折畳み可能とした各種のバッグが公知である。そして、折畳んだ状態を維持するために、例えば、バッグ本体に袋部を一体に形成して、その袋部に折畳んだバッグ本体を収納する構造のものが存在する。
【０００３】
なお、上記の従来例は、市販品の観察から知り得たものであり、先行技術文献情報は特にない。
【０００４】
上記の従来例のように、バッグ本体を折畳んで携帯する場合に、一々袋部に収納するのは面倒である。そこで、もっと簡便にバッグ本体を折畳んだ状態で携帯できるようにしたバッグが望まれている。
【０００５】
【発明が解決しようとする課題】
本発明は、上記の要望に応えること、すなわち、バッグ本体を折畳んだ状態を簡便な方法で維持することができて、携帯に便利なバッグの提供を課題とする。
【０００６】
【課題を解決するための手段】
上記課題を解決するために、本発明のバッグは、折畳み可能なバッグ本体と、そのバッグ本体に取付けられ、折畳まれた上記バッグ本体を拘束可能なベルトとが具えられたことを特徴とする構成を有するものである。
【０００７】
また、上記バッグ本体に、その開口部を閉じるための留め具が取付けられ、上記ベルトには、折畳まれた上記バッグ本体を拘束した状態で、上記バッグ本体に取付けられた上記留め具に係合しうる留め具が取付けられている構成にすることもできる。
【０００８】
また、上記バッグ本体にポケットが設けられ、上記ベルトはそのポケットの開口部を跨ぐ状態に取り付けられ、上記ベルトに取付けられた留め具が係合しうる留め具が上記ポケットの表面に取付けられた構成にすることもできる。
【０００９】
また、上記ポケットは携帯電話を収容可能なサイズに形成された構成にすることもできる。
【００１０】
また、上記ベルトは上記ポケットに収容された携帯電話の環状のストラップに挿通可能な幅に形成された構成にすることもできる。
【００１１】
【発明の実施の形態】
以下、図を用いて本発明の実施の形態について説明する。まず、バッグ本体１は折畳み可能な柔軟性を有する素材、例えば布等で形成されている。
【００１２】
上記バッグ本体１は、図に示すように、前後一対の持ち手２ａ，２ｂを取付けることができる。
【００１３】
上記バッグ本体１は上辺部を開口している。そして、その開口部３を閉じるために、前胴部４と後胴部５における内面上端にそれぞれ互いに着脱自在な雌雄の留め具が取付けられている。なお、図示した実施形態では留め具として雄ホック６と雌ホック７を使用しているが、留め具の種類は自由であり、その他の留め具、例えば面ファスナなどを用いることも可能である。
【００１４】
また、図示した実施形態のバッグ本体１は、前胴部４と後胴部５の上辺部を除く周辺部を閉じ合わせて袋状に形成されているが、バッグ本体１の構造は自由であり、マチや底面部などを有する構造にすることも可能である。
【００１５】
上記バッグ本体１には、そのバッグ本体１を折畳んだ状態を拘束できるベルト８が取付けられている。
【００１６】
上記ベルト８の取付位置は自由であり、例えば図示した実施形態のように、バッグ本体１における前胴部４の略中央位置に取付けることができる。
【００１７】
また、バッグ本体１の外面部にはポケット９を設けることができる。このポケット９を設ける位置は自由であるが、図示した実施形態のように、上記ベルト８の下方位置に設けることができる。
【００１８】
上記ベルト８は長さ方向を縦向きとし、上記ポケット９の開口部１０を跨ぐように取付けることができる。
【００１９】
上記ベルト８は、上端をバッグ本体１に対し止着し、下端は自由端にすることができる。そして、その下端部に雄の留め具を取付けることができる。この雄の留め具としては、上記バッグ本体１の開口部３に取付けられた雌の留め具に対し着脱自在なものが使用されている。すなわち、図示した実施形態のように、バッグ本体１の開口部３に取付けられた雌の留め具が上記のように雌ホック７の場合は、雄ホック１１がベルト８に取付けられるものとする。また、雌の留め具として雌の面ファスナが用いられた場合は、雄の留め具として雄の面ファスナを用いるものとする。
【００２０】
上記ポケット９は、その表面に、上記ベルト８に取付けられた雄の留め具が着脱自在な雌の留め具が取付けられている。すなわち、図示した実施形態のように、ベルト８に取付けられた雄の留め具が上記のように雄ホック１１の場合は、雌ホック１２がポケット９の表面に取付けられるものとする。
【００２１】
上記のように、ベルト８に取付けられた雄の留め具は、バッグ本体１の開口部３に取付けられた雌の留め具と、ポケット９の表面に取付けられた雌の留め具とに対し、それぞれ着脱自在としている。すなわち、バッグ本体１の開口部３に取付けられた雌の留め具と、ポケット９の表面に取付けられた雌の留め具は同一のものが使用されている。
【００２２】
ベルト８に取付けられた雄の留め具を、ポケット９の表面に取付けられた雌の留め具に係合させれば、ポケット９の開口部１０を閉じることができる。
【００２３】
また、バッグ本体１コンパクトに折畳んだ状態にして、ベルト８の雄の留め具をバッグ本体１の開口部３に取付けられた雌の留め具に対し係合させれば、折畳み状態のバッグ本体１をベルト８により拘束することができる。
【００２４】
なお、バッグ本体１は以下のように折畳むことができる。まず、図１に示す状態から、持ち手２ａ，２ｂをバッグ本体１の内部に挿入して、図３に示すように、バッグ本体１の幅方向の両端部を内方へ折り返して後胴部５の外側に折り重ねる。
【００２５】
次に、図４に示すように、バッグ本体１の下端部を中間部の後側に折り重ねるとともに、図５に示すように、バッグ本体１の上端部を中間部の後側に折り重ねた下端部のさらに後側に折り重ねて、全体を略３つ折り状態とする。
【００２６】
次に、図６に示すように、バッグ本体１の中間部をさらに２つ折りして、上記ベルト８の雄の留め具をバッグ本体１の開口部３に取付けられた雌の留め具に係合させれば、バッグ本体１を折畳み状態としてベルト８により拘束することができる。
【００２７】
また、バッグ本体１の前胴部４に設けられた上記のポケット９は、携帯電話（図示せず）を収容可能なサイズとすることができる。
【００２８】
そして、上記ベルト８は、上記ポケット９に収容された携帯電話に取付けられたストラップ（図示せず）に挿通可能な幅にすることができる。
【００２９】
【発明の効果】
請求項１記載の本発明のバッグは、バッグ本体を折畳んでベルトにより拘束することにより、その折畳み状態を維持できるので、上記従来例のように、折畳んだ状態のバッグ本体を、そのバッグ本体に形成された袋部に一々収納する面倒がなく、携帯に便利である。
また、請求項２記載の本発明のバッグは、ベルトに取付けられた留め具が、バッグ本体の開口部を閉じるために取付けられた留め具に対して係合しうるようにしたので、折畳状態のバッグ本体を拘束するために、ベルトの留め具と係合しうる留め具を特にバッグ本体に設ける必要がなく、部品点数を減らして安価で製造することができる。
また、請求項３記載の本発明のバッグは、ベルトがバッグ本体に設けられたポケットの開口部を跨ぐ状態に取り付けられ、ベルトに取付けられた留め具がポケットに取付けられた留め具と係合しうるようにしたので、ベルトがポケットの蓋の役割を果たすことができて、ポケットに収納した物品の抜け落ちをベルトにより防止することができる。
また、請求項４記載の本発明のバッグは、ポケットに携帯電話を収容できるので、携帯電話の取り出しが容易になる。
また、請求項５記載の本発明のバッグは、携帯電話の環状のストラップにベルトを挿通できるので、携帯電話がポケットから抜き取られるのをベルトで防止することができる。
【図面の簡単な説明】
【図１】折畳まれる前の状態を示す斜視図である。
【図２】折畳まれる前の状態を示す断面図である。
【図３】バッグ本体の幅方向の両端部を折畳んだ状態を示す斜視図である。
【図４】バッグ本体の下端部を折畳んだ状態の斜視図である。
【図５】バッグ本体を上下方向に略３つ折りにした状態の斜視図である。
【図６】折畳まれた状態のバッグ本体をベルトで拘束した状態の斜視図である。
【符号の説明】
１  バッグ本体
２ａ，２ｂ  持ち手
３  開口部
４  前胴部
５  後胴部
６  雄ホック
７  雌ホック
８  ベルト
９  ポケット
１０  開口部
１１  雄ホック
１２  雌ホック
【図１】
2004216027.tif 000003
【図２】
2004216027.tif 000004
【図３】
2004216027.tif 000005
【図４】
2004216027.tif 000006
【図５】
2004216027.tif 000007
【図６】
2004216027.tif 000008